(57)【要約】【課題】  本発明は、基板に対して上下方向においては確実に固定され、左右方向においては小さな影響を許容することによりリードへの影響を低減することが可能な電気コネクタ及びそれを用いた電子機器を提供する。【解決手段】  コネクタ１５のハウジング２１の側壁には、固定部材３０を取り付けるためのコの字形状に突出した取付部材２６が設けられており、この取付部材２６に形成されたスライド部２７に、固定部材３０の突出部３３を係合させて、プリント基板へコネクタ１５を接続する際に固定部材３０の他端をプリント回路基板１１表面に接着剤で接続する。この結果、コネクタ１５は、係合部３３とスライド部２７を介して、固定部材３０によって実装されるプリント回路基板１１に対して、その上下方向においてしっかりと固着され、左右方向についてはスライド部２７と係合部３３との間に遊びが設けられることとなる。【選択図】  図３
2005166302.tif 000002
【特許請求の範囲】
【請求項１】
プリント回路基板の表面に実装する電気コネクタにおいて、
絶縁性のハウジングと、
このハウジングに設けられ前記プリント回路基板に接続される導電性部材と、
前記プリント回路基板に水平な方向に移動可能に遊びを有し、前記プリント回路基板に垂直な方向に移動しないよう前記プリント回路基板に対して前記ハウジングを固定する固定部材と、
を有することを特徴とする電気コネクタ。
【請求項２】
プリント回路基板の表面に実装する電気コネクタにおいて、
絶縁性のハウジングと、
このハウジングに設けられ前記プリント回路基板に接続される導電性の複数のリード部材と、
前記プリント回路基板に水平でかつ前記リード部材の並びに垂直な方向に移動可能に遊びを有し、前記リード部材の並び方向以外の方向でかつ上記垂直な方向以外の方向において前記プリント基板に対して移動しないよう前記プリント回路基板に対して前記ハウジングを固定する固定部材と、
を有することを特徴とする電気コネクタ。
【請求項３】
筐体と、
この筐体内部に搭載されたプリント回路基板と、
絶縁性のハウジングと、このハウジングに設けられ前記プリント回路基板に接続される導電性部材と、前記プリント回路基板に水平な方向に移動可能に遊びを有し、前記プリント回路基板に垂直な方向に移動しないよう前記プリント回路基板に対して前記ハウジングを固定する固定部材とを有する電気コネクタと、
この電気コネクタに接続された接続部品を介して前記プリント回路基板と接続される電子部品と、
を有することを特徴とする電子機器。
【請求項４】
筐体と、
この筐体内部に搭載されたプリント回路基板と、
絶縁性のハウジングと、このハウジングに設けられ前記プリント回路基板に接続される導電性の複数のリード部材と、前記プリント回路基板に水平でかつ前記リード部材の並びに垂直な方向に移動可能に遊びを有し、前記リード部材の並び方向以外の方向でかつ上記垂直な方向以外の方向において前記プリント基板に対して移動しないよう前記プリント回路基板に対して前記ハウジングを固定する固定部材とを有する電気コネクタと、
この電気コネクタに接続された接続部品を介して前記プリント回路基板と接続される電子部品と、
を有することを特徴とする電子機器。
【発明の詳細な説明】
【技術分野】
【０００１】
本発明は、プリント回路基板に接続する電気コネクタに関し、特にプリント回路基板と電気コネクタとを固定する手段を有する電気コネクタ及びそれを用いた電子機器に関する。
【背景技術】
【０００２】
従来、電気コネクタをプリント回路基板に固定する方法として、電気コネクタを構成する絶縁ハウジングの取付面に、取付面から突出するよう、絶縁ハウジングと一体成形されたペグが設けられており、このペグをプリント回路基板に形成された取付孔に挿入して固定する方法が知られている（例えば、特許文献１参照）。更に、固定用の取り付けピンに上下及び並び方向の遊びを設け、はんだ付けする前の微修正を可能とした構造も考えられている（例えば、特許文献２参照）。
【特許文献１】特開平９−２４４８０５号公報
【特許文献２】特開２０００−２９４９６０公報
【発明の開示】
【発明が解決しようとする課題】
【０００３】
しかしながら、従来の装置は、はんだ付け前の微修正を可能とするが、はんだ付けした後は基板にコネクタが完全に固定されているため、コネクタに外力が加わった際に電気コネクタのはんだにクラックが生じることを防止できる代わりに、リードに圧力が加わり、リードの変形を招く可能性があった。
【０００４】
本発明は、以上の点に鑑みなされたもので、基板に対して上下方向においては確実に固定され、左右方向においては小さな影響を許容することによりリードへの影響を低減することが可能な電気コネクタ及びそれを用いた電子機器を提供することを目的とする。
【課題を解決するための手段】
【０００５】
上記目的を達成するために、本発明の電気コネクタは、プリント回路基板の表面に実装する電気コネクタにおいて、絶縁性のハウジングと、このハウジングに設けられ前記プリント回路基板に接続される導電性部材と、前記プリント回路基板に水平な方向に移動可能に遊びを有し、前記プリント回路基板に垂直な方向に移動しないよう前記プリント回路基板に対して前記ハウジングを固定する固定部材と、を有することを特徴とする。
【０００６】
上記目的を達成するために、本発明の電気コネクタは、プリント回路基板の表面に実装する電気コネクタにおいて、絶縁性のハウジングと、このハウジングに設けられ前記プリント回路基板に接続される導電性の複数のリード部材と、前記プリント回路基板に水平でかつ前記リード部材の並びに垂直な方向に移動可能に遊びを有し、前記リード部材の並び方向以外の方向でかつ上記垂直な方向以外の方向において前記プリント基板に対して移動しないよう前記プリント回路基板に対して前記ハウジングを固定する固定部材と、を有することを特徴とする。
【０００７】
上記目的を達成するために、本発明の電子機器は、筐体と、この筐体内部に搭載されたプリント回路基板と、絶縁性のハウジングと、このハウジングに設けられ前記プリント回路基板に接続される導電性部材と、前記プリント回路基板に水平な方向に移動可能に遊びを有し、前記プリント回路基板に垂直な方向に移動しないよう前記プリント回路基板に対して前記ハウジングを固定する固定部材とを有する電気コネクタと、この電気コネクタに接続された接続部品を介して前記プリント回路基板と接続される電子部品と、を有することを特徴とする。
【０００８】
上記目的を達成するために、本発明の電子機器は、筐体と、この筐体内部に搭載されたプリント回路基板と、絶縁性のハウジングと、このハウジングに設けられ前記プリント回路基板に接続される導電性の複数のリード部材と、前記プリント回路基板に水平でかつ前記リード部材の並びに垂直な方向に移動可能に遊びを有し、前記リード部材の並び方向以外の方向でかつ上記垂直な方向以外の方向において前記プリント基板に対して移動しないよう前記プリント回路基板に対して前記ハウジングを固定する固定部材とを有する電気コネクタと、この電気コネクタに接続された接続部品を介して前記プリント回路基板と接続される電子部品と、を有することを特徴とする。
【発明の効果】
【０００９】
本発明によれば、基板に対して上下方向においては確実に固定され、左右方向においては小さな影響を許容することによりリードへの影響を低減することができる。
【発明を実施するための最良の形態】
【００１０】
以下、本発明に係る実施の形態について図面を参照して詳細に説明する。図１は、本発明の一実施の形態に係る電子機器としてのノート型パーソナルコンピュータＡ（以下ノート型パソコンと称す）の斜視図である。図２は、ノート型パソコンＡの断面図である。
【００１１】
ノート型パソコンＡの本体１は樹脂製の上ケース２および樹脂製の下ケース３を有している。本体１の上面にはキーボード９が搭載されている。本体１の上面前部（キーボード９の前側）はユーザがキーボード９へのデータ入力の際に掌を置くためのアームレスト７が形成される。
【００１２】
本体１の後部には一対のヒンジ部５ａ、５ｂを介して表示装置４が開位置と閉位置との間を回動自在に接続されている。表示装置４にはデータを表示するためのＬＣＤ６が組み込まれている。また、本体１には、光ディスク装置１０が内蔵されており、本体１のサイド部からスライドして光ディスクＢの出し入れが可能となっている。
【００１３】
また、図２に示すように、本体１のケース２、３の内部には、光ディスク装置１０や第１および第２のプリント回路基板１１、１２が収納されている。この第１及び第２のプリント回路基板１１、１２には、ＩＣチップのような回路部品１３が実装されている。そして、第１及び第２のプリント回路基板１１、１２は、ケース２、３と平行な姿勢で互いに所定の間隔をあけて向かい合っており、本体１の高さ方向に積み重なるよう配置されている。
【００１４】
第１及び第２のプリント回路基板１１、１２は、その間に介在する電気コネクタとしてのスタッキングコネクタ１４によって電気的に接続されている。このスタッキングコネクタ１４は、第１のプリント回路基板１１と第２のプリント回路基板１２とを電気的に接続するもので、第１のコネクタ（コネクタプラグ）１５と第２のコネクタ（レセプタクル）１６とから構成されている。
【００１５】
尚、本実施例では電子機器としてノート型パソコンを、電気コネクタとしてスタッキングコネクタを用いて説明するが、これに限らず、プリント回路基板同士や、プリント回路基板と電気ケーブル（ワイヤー）を接続する電気コネクタ及び電子機器全般に使用することが可能である。
【００１６】
また、以下の説明においては、電気コネクタとして第１のプリント回路基板１１に実装される第１のコネクタ１５を用いて説明し、第２のプリント回路基板１２の表面に実装される第２のコネクタ１６に関しても同様に適用できるため説明を省略する。
【００１７】
図３乃至図６は、第１のプリント回路基板１１の表面に実装される第１のコネクタ１５の構成を示す図である。図３は第１のコネクタ１５の斜視図であり、図４は固定部材３０部分の斜視図であり、図５及び図６は側面からみた図である。
【００１８】
図３に示す第１のコネクタ１５は、絶縁性材料からなる細長いハウジング２１から構成されている。このハウジング２１の側壁には、その長手方向に沿って、プリント回路基板１１に接続される複数の導電性部材としてのリード２３が設けられている。
【００１９】
また、ハウジング２１はその内面で、これらリード２３に接続するよう配置された図示せぬ導電性のコンタクト部２４を保持する。ハウジング２１は、コンタクト部２４に接続される第２のコネクタ１６を挿入するための挿入部２５を有しており、挿入部２５内にコンタクト部２４を配している。
【００２０】
ハウジング２１の短手方向側壁には、固定部材３０を取り付けるためのコの字形状に突出した取付部材２６が設けられている。この取付部材２６には横長形状の孔からなるスライド部２７が形成されている。この取付部材２６（詳しくはスライド部２７）を介して固定部材３０がハウジング２１に取り付けられることとなる。固定部材３０は、実装されるプリント回路基板１１に対する固着強度を上げるための補助金具である。
【００２１】
固定部材３０は、図４に示すように、Ｌ字形状をなし、実装する際にプリント回路基板１１の表面と接続する第１の面３１と、ハウジング２１の短手方向側壁の表面と接触するための第２の面３２とを有している。更に、第２の面３２に、取付部材２６のスライド部２７に係合させるための突出部３３が設けられている。
【００２２】
このスライド部２７は、その縦（上下）の大きさは固定部材３０の係合部３３の大きさと略同じに形成され、その横（左右、実装されるプリント回路基板に水平な方向）の大きさは係合部３３がスライドできるよう、係合部３３の大きさよりも大きく形成されている。
【００２３】
そして、取付部材２６の内側でかつハウジング２１の短手方向側壁とで囲まれた部分（空間）に、固定部材の第２の面３２を挿入し、スライド部２７に突出部３３を係合させる。この状態で、第１のコネクタ１５をプリント回路基板１１に実装する際、固定部材の第１の面３１をプリント回路基板１１の表面に図示せぬ接着剤にて接続することとなる。
【００２４】
この結果、第１のコネクタ１５は、図５に示すように、係合部３３とスライド部２７を介して、固定部材３０によって実装されるプリント回路基板１１に対して、特にその上下方向（実装されるプリント回路基板と垂直な方向）においてしっかりと固着されることとなる。
【００２５】
また、左右方向（実装されるプリント回路基板に水平な方向でかつリードの並びに垂直な方向）についてはスライド部２７と係合部３３との間に遊びが設けられているので、図６に示すように、例えば第２のコネクタ１６に接続する際に捩れたりして第１のコネクタ１５に例えば横方向（プリント回路基板１１に並行な方向）の外力が加わったとしても、上下方向はしっかりと固着されているが、左右方向において若干の移動が許容されているため、リード２３への圧力を他の部分に分散することが可能となる。
【図面の簡単な説明】
【００２６】
【図１】本発明の実施形態における電気コネクタが用いられたノート型パーソナルコンピュータＡの外観構成を示す斜視図。
【図２】ノート型パソコンＡの一部断面図。
【図３】第１のコネクタ１５の構成を示す斜視図。
【図４】固定部材３０の部分を示す斜視図。
【図５】第１のコネクタ１５の短手方向側面からみた構成を示す側面図。
【図６】第１のコネクタ１５の短手方向側面からみた構成を示す側面図。
【符号の説明】
【００２７】
Ａ    電子機器、ノート型パソコン
１    電子機器およびノート型パソコンの本体
２、３    電子機器およびノート型パソコンのケース
４    表示装置
５ａ、５ｂ    ヒンジ部
６    ＬＣＤ
７    アームレスト
９    キーボード
１０    光ディスク装置
１１、１２    プリント回路基板
１３    電子部品
１４    スタッキングコネクタ
１５    第１のコネクタ
１６    第２のコネクタ
２１    ハウジング
２３    リード
２５    挿入部
２６    取付部材
２７    スライド部
３０    固定部材
３１    第１の面
３２    第２の面
３３    係合部
【図１】
2005166302.tif 000003
【図２】
2005166302.tif 000004
【図３】
2005166302.tif 000005
【図４】
2005166302.tif 000006
【図５】
2005166302.tif 000007
【図６】
2005166302.tif 000008